(57)【要約】【課題】男性が装着した時に確実に尿道括約筋をサポートすることで頻尿、尿漏れ、尿滴下、残尿感といった尿に関する問題を解消することが可能な男性用尿道括約筋サポーターを提供する。【解決手段】装着時に尿道括約筋を下方から保持するための男性用尿道括約筋サポーターであって、中央にサポーター部、両端に互いに着脱可能に係合する係合手段、および、弾性変形部を有する帯状のバンド、および、前記バンドに取り付けられた２つの弾性バンドを有し、前記サポーター部を股の下に配置し、前記係合部を腰に配置して、前記係合手段を互いに係合させて前記バンドをリング状とし、前記弾性バンドを股下から臀部を通って腰骨付近で前記バンドへと繋がるように配置して、前記男性用尿道括約筋サポーターを装着することにより、前記サポーター部によって尿道括約筋を下方から保持する。【選択図】図１
2018094058.tif 000002
【特許請求の範囲】
【請求項１】
装着時に尿道括約筋を下方から保持するための男性用尿道括約筋サポーターであって、
中央にサポーター部、両端に互いに着脱可能に係合する係合手段、および、前記サポーター部以外の部分に伸縮する弾性変形部を有する帯状のバンド、および、
一端は前記サポーター部に固定され、他端は前記サポーター部と前記係合手段との間に固定された２つの弾性バンドを有し、
前記サポーター部を股の下に配置し、前記係合部を腰に配置して、前記係合手段を互いに係合させて前記バンドをリング状とし、前記弾性バンドを股下から臀部を通って腰骨付近で前記バンドへと繋がるように配置して、前記男性用尿道括約筋サポーターを装着することにより、前記サポーター部によって尿道括約筋を下方から保持することを特徴とする男性用尿道括約筋サポーター。
【請求項２】
装着時に尿道括約筋を下方から保持するための男性用尿道括約筋サポーターであって、
１つのサポーター部、および、前記サポーター部以外の部分に伸縮する弾性変形部を有するリング状のバンド、および、
一端は前記サポーター部に固定され、他端は前記サポーター部以外の部分に固定された２つの弾性バンドを有し、
前記サポーター部を股の下に配置し、前記バンドの前記サポーター部と対向する部分を腰に配置し、前記弾性バンドを股下から臀部を通って腰骨付近で前記バンドへと繋がるように配置して、前記男性用尿道括約筋サポーターを装着することにより、前記サポーター部によって尿道括約筋を下方から保持することを特徴とする男性用尿道括約筋サポーター。
【請求項３】
前記バンドは、前記サポーター部を除いて全てが弾性変形部であることを特徴とする請求項１または２に記載の男性用尿道括約筋サポーター。
【請求項４】
装着した状態で用便が可能であることを特徴とする請求項１〜３のいずれか１項に記載の男性用尿道括約筋サポーター。
【発明の詳細な説明】
【技術分野】
【０００１】
本発明は、男性の排尿機能の衰えを改善させる男性用尿道括約筋サポーターに関する。
【背景技術】
【０００２】
中高年の人が悩まされる頻尿、尿漏れ、尿滴下、残尿感といった尿に関する問題は、加齢による尿道括約筋の衰えが原因の１つである。尿道括約筋は、骨盤底筋群を構成する筋肉の１つであり、収縮・弛緩することにより膀胱から尿道を通って尿を体外に排出する際のバルブとして機能している。従って、加齢によって尿道括約筋が衰えると、収縮が不十になりバルブを閉じる力が弱くなるので、頻尿、尿漏れ、尿滴下、残尿感といった症状が発生する。
【０００３】
このような頻尿、尿漏れ、尿滴下、残尿感が発生し、日常生活に支障が出てくると、尿漏れ対策用のパンツ（特許文献１）などを使用する必要がある。しかしながら、このようなパンツを使用することに抵抗を感じる人も多い。そのためこのような尿に関する問題を解決するために、例えば、トレーニングによって尿道括約筋を鍛えることも行われているが、トレーニングができない人も多く、全ての人に効果が表れるものでもない。
【０００４】
尿に関する問題を解決するために、人工尿道括約筋手術も行われているが、手術費用の問題などがあり、誰でも受けることができるものではない。また、治療薬として、尿道括約筋の調整能力を向上させる薬（特許文献２）なども存在するが、薬を購入する費用が問題であり、またその効果も全ての人に表れるとは限らない。
【０００５】
このような尿に関する問題を解決するために、より簡単に導入できる方法として、着用することにより尿失禁を改善する尿失禁改善パンツ（特許文献３）が存在する。前記尿失禁改善パンツは、弾性バンド部により腹横筋を締め付けることにより骨盤底筋群の収縮を促進し、さらに、クロッチ部を上方に引っ張る前テンション部および後テンション部によって骨盤底筋群を支持する構造のパンツであり、男性が使用することも想定されているが、実際に男性が着用した場合、陰茎および陰嚢の存在によって骨盤底筋群を支持する機能は十分に作用しない可能性もある。
【０００６】
その他に、骨盤底筋群のうち尿道括約筋に対する押し上げ効果を有する失禁防止用下着（特許文献４）も存在するが、前記失禁防止用下着は、伸縮性を有する前後の支持シートによって尿吸収部材を保持することにより、骨盤底筋群を押し上げて尿道括約筋の持ち上げ効果を奏する構造の婦人用の失禁防止用下着であり、男性が使用しても十分な効果は期待できない。
【先行技術文献】
【特許文献】
【０００７】
【特許文献１】特開２０１４−  ９０８３５号公報
【特許文献２】特表２００８−５０１６８１号公報
【特許文献３】特開２０１１−  ８９２４４号公報
【特許文献４】特開２０１４−２０１８４１号公報
【発明の概要】
【発明が解決しようとする課題】
【０００８】
このように、尿の問題を解決する為に尿道括約筋に着目したものは存在するが、費用の問題などがあり、誰でも簡単に実施できるものでは無かった。従来の尿漏れ、尿失禁などを改善するためのパンツは、費用の点では、薬、手術などに比べると易くなるが、男性が着用した場合、尿道括約筋を十分に保持することができないので十分な効果が得られないという問題があった。
【０００９】
そこで、本発明は、低コストの簡単な構造で、男性が装着した時に確実に尿道括約筋をサポートすることで男性の排尿機能の衰えを改善して、頻尿、尿漏れ、尿滴下、残尿感といった尿に関する問題を解消することが可能な男性用尿道括約筋サポーターを提供することを目的とする。
【課題を解決するための手段】
【００１０】
本発明の男性用尿道括約筋サポーターは、装着時に尿道括約筋を下方から保持するための男性用尿道括約筋サポーターであって、中央にサポーター部、両端に互いに着脱可能に係合する係合手段、および、前記サポーター部以外の部分に伸縮する弾性変形部を有する帯状のバンド、および、一端は前記サポーター部に固定され、他端は前記サポーター部と前記係合手段との間に固定された２つの弾性バンドを有し、前記サポーター部を股の下に配置し、前記係合部を腰に配置して、前記係合手段を互いに係合させて前記バンドをリング状とし、前記弾性バンドを股下から臀部を通って腰骨付近で前記バンドへと繋がるように配置して、前記男性用尿道括約筋サポーターを装着することにより、前記サポーター部によって尿道括約筋を下方から保持することを特徴とする。
【００１１】
本発明の別の形態の男性用尿道括約筋サポーターは、装着時に尿道括約筋を下方から保持するための男性用尿道括約筋サポーターであって、１つのサポーター部、および、前記サポーター部以外の部分に伸縮する弾性変形部を有するリング状のバンド、および、一端は前記サポーター部に固定され、他端は前記サポーター部以外の部分に固定された２つの弾性バンドを有し、前記サポーター部を股の下に配置し、前記バンドの前記サポーター部と対向する部分を腰に配置し、前記弾性バンドを股下から臀部を通って腰骨付近で前記バンドへと繋がるように配置して、前記男性用尿道括約筋サポーターを装着することにより、前記サポーター部によって尿道括約筋を下方から保持することを特徴とする。
【００１２】
前記バンドは、前記サポーター部を除いて全てが弾性変形部である。
【００１３】
前記男性用尿道括約筋サポーターは装着した状態で用便が可能である。
【発明の効果】
【００１４】
本発明の男性用尿道括約筋サポーターは、装着時に尿道括約筋を下方から保持するための男性用尿道括約筋サポーターであって、中央にサポーター部、両端に互いに着脱可能に係合する係合手段、および、前記サポーター部以外の部分に伸縮する弾性変形部を有する帯状のバンド、および、一端は前記サポーター部に固定され、他端は前記サポーター部と前記係合手段との間に固定された２つの弾性バンドを有し、前記サポーター部を股の下に配置し、前記係合部を腰に配置して、前記係合手段を互いに係合させて前記バンドをリング状とし、前記弾性バンドを股下から臀部を通って腰骨付近で前記バンドへと繋がるように配置して、前記男性用尿道括約筋サポーターを装着することで、前記サポーター部によって尿道括約筋を下方から保持することにより、衰えて弛緩した尿道括約筋を収縮させるように力が作用することから、男性の排尿機能の衰えを改善し、頻尿、尿漏れ、尿滴下、残尿感を解消することができるという優れた効果を奏する。
【００１５】
本発明の別の形態の男性用尿道括約筋サポーターは、装着時に尿道括約筋を下方から保持するための男性用尿道括約筋サポーターであって、１つのサポーター部、および、前記サポーター部以外の部分に伸縮する弾性変形部を有するリング状のバンド、および、一端は前記サポーター部に固定され、他端は前記サポーター部以外の部分に固定された２つの弾性バンドを有し、前記サポーター部を股の下に配置し、前記バンドの前記サポーター部と対向する部分を腰に配置し、前記弾性バンドを股下から臀部を通って腰骨付近で前記バンドへと繋がるように配置して、前記男性用尿道括約筋サポーターを装着することで、前記サポーター部によって尿道括約筋を下方から保持することにより、男性の頻尿、尿漏れ、尿滴下、残尿感を解消することができるだけでなく、係合手段を用いないことで、より簡単な構造となり製造コストを低減し、さらに、誰でも簡単に装着することができるようになる。
【００１６】
前記バンドは、前記サポーター部を除いて全てが弾性変形部であることにより、前記男性用尿道括約筋サポーターのフィット感を向上させることができる。
【００１７】
前記男性用尿道括約筋サポーターは装着した状態で用便が可能であることから、用便時の着脱が不要であり、使い勝手を向上させることができる。
【図面の簡単な説明】
【００１８】
【図１】本発明の第１の実施形態の男性用尿道括約筋サポーターの正面図である。
【図２】第１の実施形態の男性用尿道括約筋サポーターの背面図である。
【図３】第１の実施形態の男性用尿道括約筋サポーターの背面図であり、係合手段の係合を解除した状態を示す。
【図４】第１の実施形態の男性用尿道括約筋サポーターの背面図であり、係合手段を係合する途中の状態を示す。
【図５】第１の実施形態の男性用尿道括約筋サポーターの弾性変形部を別の形態にした場合の正面図である。
【図６】第１の実施形態の男性用尿道括約筋サポーターを装着した身体の断面図である。
【図７】第１の実施形態の男性用尿道括約筋サポーターを身体に装着した状態の斜視図である。
【図８】第１の実施形態の男性用尿道括約筋サポーターを身体に装着した状態の背面図である。
【図９】第２の実施形態の男性用尿道括約筋サポーターの正面図である。
【図１０】第２の実施形態の男性用尿道括約筋サポーターの背面図である。
【発明を実施するための形態】
【００１９】
本発明の第１の実施形態の男性用尿道括約筋サポーター１について、図面を用いて詳細に説明する。図１に示すのは男性用尿道括約筋サポーター１の正面図であり、図２〜４に示すのは男性用尿道括約筋サポーター１の背面図であり、図６に示すのは男性用尿道括約筋サポーター１を装着した男性の身体の断面図であり、図７に示すのは男性用尿道括約筋サポーター１を男性の身体に装着した状態の斜視図である。
【００２０】
本発明の第１の実施形態の男性用尿道括約筋サポーター１は、図６に示すように、男性が装着した時に尿道括約筋Ａを下方から保持するための男性用尿道括約筋サポーターであり、図１，２に示すように、中央にサポーター部４、両端に互いに着脱可能に係合する係合手段５、および、前記サポーター部４の両端から少し離れた位置に設けられた伸縮可能な２つの弾性変形部６を有する一定の幅の帯状のバンド２、および、一端は前記サポーター部４に互いに重ねられて固定され、他端は前記サポーター部４と前記係合手段６との間の対向する位置に別々に固定された２つの弾性バンド３を有する。
【００２１】
前記サポーター部４は伸縮しない素材、例えば、ポリエステル繊維などの化学繊維、綿織布などからなり、前記バンド２の全体も同じ素材からなる。そして、前記弾性変形部６は、前記バンド２の内側面に所定の長さのゴム７を両端だけを前記バンド２に固定して取り付け、前記ゴム７の弾性力によって前記弾性変形部６が収縮する構造を用いており、前記ゴム７と、前記バンド２の前記ゴム７が取り付けられている範囲が前記弾性変形部６となる。この時、前記バンド２において弾性変形部６となる部分の長さを、前記ゴム７の長さよりも長くしていることから、前記バンド２の弾性変形部６となる部分は前記ゴム７の弾性力によって引っ張られてダブついた状態となっている。そのため、前記ゴム７の弾性力によって、前記弾性変形部６の長さが変化することで、伸縮することになる。
【００２２】
前記弾性変形部６の構造はこのような形態に限定するものではなく、その他の構造、例えば、前記バンド２の一部または全てをゴムなどの伸縮可能な材質で形成する構造も可能である。ゴムだけからなる弾性変形部６’を２箇所に設けた形態の男性用尿道括約筋サポーター１を、図５に示している。前記弾性変形部６’はサポーター部４の両端に設けられており、ゴムの弾性力を利用して伸縮することによって、前記男性用尿道括約筋サポーター１を身体にフィットさせることができる。
【００２３】
本実施形態では、前記係合手段５は、リング８、面ファスナーのフック９およびループ１０から構成されている。図３に示すように、前記バンド２の一端にリング８を設け、他端の外側面に面ファスナーのフック９を設け、前記フック９から離れた位置に面ファスナーのループ１０を設けている。前記面ファスナーのフック９およびループ１０は、前記ループ１０の長さを前記フック９の長さの数倍としており、前記バンド２をリング状にした際に長さを調節することができるようにしている。
【００２４】
前記係合手段５を係合する際は、図３の状態から、前記バンド２の他端を前記リング８に挿入して図４の状態とし、その後、前記バンド２の他端を折り返し、前記フック９を前記ループ１０に重ね合わせて押圧すると、図２に示すように、前記バンド２の両端が互いに固定されて前記バンド２はリング状となる。前記係合手段５の係合を解除する際は、前記バンド２の他端を持って前記面ファスナーのフック９をループ１０から引き剥がし、前記リング８から前記バンド２から他端を抜き出すと、図３に示すように係合が解除される。このように、前記バンド２は、前記係合手段５によって簡単に着脱可能となる。
【００２５】
前記係合手段５は、リング８と面ファスナー９，１０を用いたものに限定するものではなく、例えば、ブラジャーに用いられているホックなど、様々な構造を用いることが可能である。前記係合手段５は、体形に合わせて前記バンド２の長さを調節できる構造が好ましいが、例えば、前記バンド２に前記係合手段５とは別途で長さを調節するアジャスターを設けることで、前記係合手段５は単に着脱可能な構造を用いることも可能である。
【００２６】
２つの前記弾性バンド３は全体がゴムバンドからなり、図１，２に示すように、前記バンド２のサポーター部４に一端が互いに重ね合わされて固定され、２つの前記弾性バンド３は前記サポーター部４から逆Ｖ字状となるようにそれぞれ延伸し、その後、他端は前記弾性変形部６よりも後方で前記バンド２に互いに対向する位置で固定されている。その結果、前記弾性バンド３は各々が、前記バンド２の一部と共にリング状を形成しており、前記男性用尿道括約筋サポーター１を装着する際には、２つのリングの中に上から片足ずつ入れることになる。
【００２７】
前記男性用尿道括約筋サポーター１を装着するために、まずは、前記サポーター部４が身体の前に、前記係合手段５が身体の後になるように配置し、使用者は２つの前記弾性バンド３と前記バンド２の一部によって形成される２つのリングの中に上から片足ずつ入れ、図６に示すように、陰のうＤより後方の股下に前記サポーター部４を配置し、腰に前記係合部５を配置し、前記係合部５によって前記バンド２の長さを調節しながら固定する。この時、前記男性用尿道括約筋サポーター１を身体に装着した後に、前記係合部５を係合させて前記バンド２を固定してもよいが、予め、前記バンド２を前記係合部５によって長さに余裕を持たせた状態で仮固定しておき、身体に装着した後で、長さを調節して固定しても良い。
【００２８】
このようにして前記男性用尿道括約筋サポーター１を身体に装着すると、前記バンド２はリング状となっており、図６，７に示すように、前記バンド２は、股下に位置する前記サポーター部４から左右に延伸し、それぞれ股の付け根、腰骨付近を通過して、図８に示すように、腰に位置する係合手段５で互いに係合した状態となっている。２つの前記弾性バンド３はそれぞれが、前記サポーター部４から股下を通過して左右に分かれて臀部の下側を通過して腰骨付近でそれぞれ前記バンド２へと繋がった状態となっている。
【００２９】
図７（陰茎および陰のうは図示せず）に示すように装着された前記男性用尿道括約筋サポーター１は身体にフィットしており、身体を動かしてもずれることは少ない。そして、このような状態で前記男性用尿道括約筋サポーター１が身体に装着されると、前記サポーター部４には、前記バンド２および２つの前記弾性バンド３によって上方への力が作用しており、これにより、前記サポーター部４は、図６に示すように、股下で尿道括約筋Ａを上方に保持することができる。
【００３０】
このように、本発明の男性用尿道括約筋サポーター１は、前記サポーター部４で尿道括約筋Ａを保持することによって、衰えて弛緩した尿道括約筋Ａを収縮させるように絶えず力を作用させることで、男性の排尿機能の衰えを改善し、男性の頻尿、尿漏れ、尿滴下、残尿感といった尿に関する問題を解消することができるという優れた効果を奏する。
【００３１】
前記男性用尿道括約筋サポーター１は簡単な構造であることから、安価で製造可能である。そして、前記男性用尿道括約筋サポーター１は、下着の上から装着する、あるいは、下着の下に素肌に直接装着することができ、いずれの場合でも、前記サポーター部４によって尿道括約筋Ａを保持することができ、十分な効果を奏する。
【００３２】
従来のような尿漏れ、尿失禁などを改善するためのパンツは毎日交換する必要があるが、本発明の男性用尿道括約筋サポーター１は、下着の上から装着すれば汚れ難くなるので交換することなく繰り返し使用することも可能であり、尿漏れ、尿失禁などを改善するためのパンツを多数購入することに比べて費用が安くなるという効果がある。
【００３３】
そして、前記男性用尿道括約筋サポーター１は、図８に示すように、肛門Ｅを覆わないで露出させることから、前記男性用尿道括約筋サポーター１を装着した状態で大便を行うことができ、当然ことながら小便の際にも取り外す必要が無いことから、下着の下に装着しておけば、用便の際にその都度、着脱する必要が無く、誰でも気軽に装着できるという効果を奏する。
【００３４】
次に、本発明の第２の実施形態の男性用尿道括約筋サポーター２１について、図面を用いて詳細に説明する。図９に示すのは男性用尿道括約筋サポーター２１の正面図であり、図１０に示すのはバンド第２の実施形態の男性用尿道括約筋サポーター２１の背面図である。
【００３５】
第２の実施形態の男性用尿道括約筋サポーター２１は、男性が装着した時に尿道括約筋を下方から保持するための男性用尿道括約筋サポーターであり、図９，１０に示すように、１つのサポーター部２４を有するリング状のバンド２２、および、一端は前記サポーター部２４に互いに重ねられて固定され、他端は前記サポーター部２４以外の部分の対向する位置に別々に固定された２つの弾性バンド２３を有する。
【００３６】
前記バンド２２は、前記サポーター部２４以外の部分は全てゴムバンドであり、前記バンド２２は前記サポーター部２４以外の部分が全て弾性変形部２６となる。前記男性用尿道括約筋サポーター２１は、装着する際にゴムバンドを伸ばしてリングの径を大きくすることができるので、誰でも簡単に装着することができるようになり、また、前記バンド２２は前記サポーター部２４以外の部分が体形に合わせて伸縮することからフィット感が向上する。
【００３７】
２つの前記弾性バンド２３も全てゴムバンドからなり、前記バンド２２のサポーター部２４に一端が互いに重ね合わされて固定され、２つの前記弾性バンド２３は前記サポーター部２４から逆Ｖ字状となるようにそれぞれ延伸し、その後、他端は前記バンド２２の弾性変形部２６であるゴムバンドに互いに対向する位置で固定されている。その結果、前記弾性バンド２３は各々が、前記バンド２２の一部と共にリング状を形成しており、前記男性用尿道括約筋サポーター２１を装着する際には、２つのリングの中に上から足を入れることになる。そして、２つの前記弾性バンド２３と前記バンド２２の一部によって形成されるリングは全てゴムバンドからなることから、リングの全体が伸縮するので足を挿入し易くなる。
【００３８】
このように、第２の実施形態の男性用尿道括約筋サポーター２１の全体の形状は、第１の実施形態の男性用尿道括約筋サポーター１の係合手段５を省略して前記バンド２をリング状としたものと同じような形状となっており、係合手段を用いていないので部品数が少なくなり、製造コストをさらに低減することができ、また、係合手段が身体に触れることが無いことから装着時の違和感も低減することができる。
【００３９】
第２の実施形態の男性用尿道括約筋サポーター２１を装着するために、前記サポーター部２４が身体の前になるように配置し、使用者は前記バンド２２の中に上から両足を入れ、その後、２つの前記弾性バンド２３と前記バンド２２の一部によって形成される２つのリングの中に上から片足ずつ入れ、陰のうより後方の股下に前記サポーター部２４を配置し、前記バンド２２を、股下に位置する前記サポーター部２４から左右に延伸し、それぞれ股の付け根、腰骨付近を通過して、背中の腰の付近を通過するように装着する。この時、前記バンド２２は前記サポーター部２４以外の部分が伸縮することから簡単に正しい位置に装着することができ、長さを調節する必要もない。２つの前記弾性バンド２３はそれぞれが、前記サポーター部２４から股下を通過して臀部の下側を通過して腰骨付近で前記バンド２２のゴムバンドへと繋がった状態となっている。
【００４０】
このようにして前記男性用尿道括約筋サポーター２１を装着すると、前記サポーター部２４は、前記バンド２２および２つの前記弾性バンド２３によって上方への力が作用して、股下で尿道括約筋を上方に保持した状態となり、衰えて弛緩した尿道括約筋を収縮させるように力を作用させて、男性の排尿機能の衰えを改善し、男性の頻尿、尿漏れ、尿滴下、残尿感といった尿に関する問題を解消することができるようになる。
【００４１】
第２の実施形態の男性用尿道括約筋サポーター２１は、係合手段を用いないことで、より簡単な構造となり製造コストを低減し、さらに、誰でも体形に合わせて簡単に装着することができるようになる。
【符号の説明】
【００４２】
１，２１    男性用尿道括約筋サポーター
２，２２    バンド
３，２３    弾性バンド
４，２４    サポーター部
５          係合手段
６，２６    弾性変形部
７          ゴム
８          リング
９          面ファスナーのフック
１０        面ファスナーのループ
Ａ          尿道括約筋
Ｂ          恥骨
Ｃ          尿道
Ｄ          陰のう
Ｅ          肛門
【図１】
2018094058.tif 000003
【図２】
2018094058.tif 000004
【図３】
2018094058.tif 000005
【図４】
2018094058.tif 000006
【図５】
2018094058.tif 000007
【図６】
2018094058.tif 000008
【図７】
2018094058.tif 000009
【図８】
2018094058.tif 000010
【図９】
2018094058.tif 000011
【図１０】
2018094058.tif 000012